(57)【要約】      （修正有）【課題】グリーンフォークをボールマーカーに内蔵させた多機能ゴルフボールマーカーを提供する。【解決手段】円形の平板と同大の円形平板５の間に硬質材を用いたグリーンフォーク３を挟んで一体化し、円形平板５の細長の溝６から露出している凸部４を円形の周辺部にスライドさせると突出するグリーンフォーク３を内蔵させたボールマーカーである。また、この状態でフォーク部分をグリーンに挿し込めば、ボールマーカーを立てて使用することによりボールマーカーの位置を目視できるようにする。【選択図】図５
2013233407.tif 000002
【特許請求の範囲】
【請求項１】
円形の平板の片面を、周辺部にむかって巾が狭まる溝を、前記平板の周辺部近傍より中心部を通して穿ち、該溝部分に、凸部を露出させて設けるグリーンフォークを挿嵌し、前記円形の平板と同型の、前記凸部が露出する細長の溝を形成した平板を重ね合わせて成る多機能ゴルフボールマーカー。
【発明の詳細な説明】
【技術分野】
【０００１】
本発明は、ゴルフボールマーカーにグリーンフォークを内蔵し一体型にした多機能ゴルフボールマーカーに関する。
【背景技術】
【０００２】
従来、ゴルフをプレイする際にはグリーン上に落下して停止したボールの位置をゴルフルール上、一時的に表示するために、ボールマーカーが用いられている。従来のゴルフボールマーカーは、比較的小型で円盤状に形成したものが多く、グリーン上で視認出来難く、またポケット等の中から取り出しの際、紛失し易いという問題があった。
【０００３】
また、グリーン上に落ちたボールの落下跡やゴルフシューズなどで作られた芝生の傷跡を修復するために、グリーンフォークを持ち歩くことが薦められてきた。これらの用品は、プレイヤーが身に着けている衣服のポケットに入れているが取り出しの際、フォークの部分が爪の間に当たり怪我をする危険があり、特に雨天の場合は手の皮膚が柔らかくなっていることからその危険が増していた。場合によってはポケットを破損、身体の一部を損傷するという危険性があった。
【０００４】
着衣のポケットから取り出しの際、紛失を少なくする目的で磁性体製のクリップ等を介して、プレイヤーの衣服や帽子に着脱を可能にしたボールマーカーとして、例えば特開２００８−２６４１２７号公報などによって提案されているが、グリーン上でボールマーカーが視認出来難い状況で利用する場合、ボールマーカーからフォーク部分を分解しフォークをグリーン上に突き刺して使用することになる。使用後は分解したパーツを組み立てるという作業から、プレイが遅くなる原因や紛失してしまう危険がある。一方、特開２００６−１３６４４０号公報などによって提案されているボールマーカーが固定可能なグリーン用フォークは、フォーク部分が常に飛び出していることから携帯時の危険性が残っている。
【先行技術文献】
【特許文献】
【０００５】
【特許文献１】特開２００８−２６４１２７号公報
【特許文献２】特開２００６−１３６４４０号公報
【発明の概要】
【発明が解決しようとする課題】
【０００６】
従来のゴルフボールマーカーは、実際のグリーン面において使用した場合グリーン面に対し略面一状態となるため、変形グリーンや大きなグリーンのホール（俗称カップ）から遠い位置、または、朝露でグリーン面が覆われている場合はボールの位置を一時的に表示したボールマーカーの位置が視認できなくなってしまう。この事によりプレイヤー同士または、キャデイーにプレイ中のパッテイングラインを踏んだり踏まれたりというマナー違反や時にはルール違反に結びつく要因となり遅延プレイの原因にもなっていた。一方、ボールの落下の衝撃で芝生に生じるボールマーク（凹み）はグリーンフォークを用いそのホールから離れる前に、元の状態に修復する事が後続のプレイヤーの為とコース保護の目的から速やかに行う事がマナーとして特に求められてきたが持ち合わせていない事からグリーンを修復する作業が見逃されている問題があった。
また、ボールマーカーとグリーンフォークなどの小物用品の収納はプレイヤーが着服している衣服のポケット内である事から取り出しの際フォーク部分が指先や手の爪に当たり怪我をする事があった。しゃがんだり転倒した場合はフォーク部分が衣服のポケットを破り怪我をしたりポケットから取り出しの際、ボールマーカーやグリーンフォークなどの紛失
があった。
【課題を解決するための手段】
【０００７】
円形の平板の片面を、周辺部にむかって巾が狭まる溝を、前記平板の周辺部近傍より中心部を通して穿ち、該溝部分に、凸部を露出させて設けるグリーンフォークを挿嵌し、前記円形の平板と同型の、前記凸部が露出する細長の溝を形成した平板を重ね合わせて成る多機能ゴルフボールマーカーとして課題を解決している。
【発明の効果】
【０００８】
本発明は、以下に詳細を説明する通り、次のような効果を有し、利用価値は極めて大きい。
１  ボールマーカーの目視が容易になることでパットラインを踏まない、踏まれないこと    からマナー違反によるプレイヤー同士のトラブルが軽減される。
２  ボールマーカーの目視が容易になることでプレイの時間短縮ができる。
３  ボールマーカーとグリーンフォークを一体にすることでその場でグリーンの修復作業    ができプレイの時間短縮ができる。
４  グリーンの修復作業を自ら行うことで公正の理念に基づき後続組はプレイできる。
５  ボールマーカーにグリーンフォークを内蔵することで、ポケットに手を入れる際にグ    リーンフォークが爪の間に当たり怪我をすることを防ぐことができる。
６  ボールマーカーにグリーンフォークを内蔵することで、従来のフォーク部分で衣服を    破損することを防ぐことができる。
【図面の簡単な説明】
【０００９】
【図１】本発明の円形の平板下片面図
【図２】本発明のグリーンフォーク単体図
【図３】本発明の平板溝にグリーンフォークの内蔵図
【図４】本発明の円形の平板上片面図
【図５】本発明のグリーンフォーク使用図
【発明を実施するための形態】
【００１０】
以下、本発明の実施の形態を図面に示す実施例に従って説明する。
図１〜図５において、円形の平板１の片面を、周辺部にむかって巾が狭まる溝２を、前記円板１の周辺部近傍より中心部を通して穿ち、該溝部分２に、凸部４を露出させて設けるグリーンフォーク３を挿嵌し、前記円形１の平板と同型５の前記凸部４が露出する細長の溝６を形成した平板５を重ね合わせ圧縮して固める。
【００１１】
ボールマーカーは、平面形状が円形状、多角形状を呈する板状体とし、材質にもよって異なるが、直径は３５mm〜４０ｍｍの範囲、厚さは３ｍｍ〜５ｍｍの範囲で選択することが使い勝手から好ましい。ボールマーカーの表面側にはゴルフクラブのロゴマークや名称、ゴルフ競技大会名、スポンサー名や個人名などの印刷、凹凸文字などを刻設することができ、更にその表面は塗料などを用い装飾を施すことができる。ボールマーカーの材質は、金属材料、合成樹脂材料などを主体に調整されたものが好適材料として挙げられる。
尚、磁性体となる製作材料を用いても構わない。
【００１２】
グリーンフォークは、ボールマーカーと略同一材料で調整することが好ましいが、一方を金属材料、他方を合成樹脂材料より調整することもできる。本発明に係るボールマーカー本体に内蔵したグリーンフォークはボールマーカーの直径の３/５〜４/５ほどの長さが取り扱いやすく好ましい。グリーンフォークの厚さは１．５ｍｍ〜２ｍｍの範囲が好ましい。
ボールマーカーに内蔵されるグリーンフォークの収容方法は2枚の平板で構成されるボールマーカー本体の一部が凹設された溝部分に収容保持される。グリーンフォークとして活用する時は、平板上部開口溝から露出している凸部を開口溝に従ってスライドさせることでフォーク部分が突出する。
【産業上の利用可能性】
【００１３】
本発明は、以上詳細に説明したとおりであり、ゴルフ場でゴルフをプレイする際に、課題    
であったボールマーカーの位置が視認でき難い、又、着衣のポケットから小物用品を出し    
入れするときに、手の指を損傷する、衣服を傷付けるなどの不具合をボールマーカーに
グリーンフォークを内蔵することで、これらの課題を解決ができ、又、プレイの進行を速    
くできる効果があり極めて有利な携帯ゴルフ用具である。
【符号の説明】
【００１４】
１  円形の平板
２  グリーンフォークが収容される溝
３  グリーンフォーク
４  グリーンフォーク凸部
５  円形の平板
６  細長の溝
【図１】
2013233407.tif 000003
【図２】
2013233407.tif 000004
【図３】
2013233407.tif 000005
【図４】
2013233407.tif 000006
【図５】
2013233407.tif 000007